(57)【特許請求の範囲】
【請求項１】
電気掃除機本体内に形成された風路に電動送風機が設置され、この電動送風機が発生する騒音または吸排気によって生じる騒音を抑制する吸音材を前記風路に設けた電気掃除機であって、
前記吸音材は、第１吸音部材と、この第１吸音部材よりも薄い薄膜状であって且つ通気性を有する第２吸音部材とを重ねて構成され、
第２吸音部材側を風の当たる側に向けて前記吸音材を配置し、
前記第１吸音部材は、フェルトからなるとともに略通気性を有しないように構成され、
前記第２吸音部材は、織布または不織布であることを特徴とする電気掃除機。
【請求項２】
前記第２吸音部材に小孔を設けたことを特徴とする請求項１に記載の電気掃除機。
【請求項３】
前記第１吸音部材と第２吸音部材とを、点状または線状に接着または縫製したことを特徴とする請求項１または請求項２に記載の電気掃除機。
【発明の詳細な説明】
【０００１】
【発明の属する技術分野】
この発明は、電動送風機や吸排気によって発生する騒音を抑制する吸音材を設けた電気掃除機に関する。
【０００２】
【従来の技術】
従来から、出力の大きい電動送風機を用いた電気掃除機が知られている。かかる電気掃除機にあっては、電動送風機が発生する騒音や、空気の吸排気によって生じる騒音が大きいため、排気風路を長くしたり、排気風路の断面積を大きくしたりして騒音の抑制を図っている。
【０００３】
しかし、排気風路を長くしたり排気風路の断面積を大きくしたりすると本体が大きくなってしまう問題があった。
【０００４】
そこで、排気風路に吸音材を設けて騒音の抑制を図った電気掃除機が提案されている。
【０００５】
【発明が解決しようとする課題】
しかしながら、このような電気掃除機にあっては、騒音の抑制を十分に図るためには吸音材の厚さを厚くする必要があり、吸音材を厚くすると、排気風路の断面積が小さくなり、この結果、吸込口率が低下してしまうという問題が発生する。また、吸音材の厚さを厚くせずに、目付の重い吸音材を使用すると、本体の重量が重くなってしまうという問題が発生する。
【０００６】
この発明は、上記事情に鑑みてなされたたもので、その目的は、吸音材を厚くせずにしかも目付を重くすることなく騒音の抑制を十分に図ることのできる電気掃除機を提供することにある。
【０００７】
【課題を解決するための手段】
上記目的を達成するため、請求項１の発明は、電気掃除機本体内に形成された風路に電動送風機が設置され、この電動送風機が発生する騒音または吸排気によって生じる騒音を抑制する吸音材を前記風路に設けた電気掃除機であって、
前記吸音材は、第１吸音部材と、この第１吸音部材よりも薄い薄膜状であって且つ通気性を有する第２吸音部材とを重ねて構成され、
第２吸音部材側を風の当たる側に向けて前記吸音材を配置し、
前記第１吸音部材は、フェルトからなるとともに略通気性を有しないように構成され、
前記第２吸音部材は、織布または不織布であることを特徴とする。
【０００８】
請求項２の発明は、前記第２吸音部材に小孔を設けたことを特徴とする。
【０００９】
請求項３の発明は、前記第１吸音部材と第２吸音部材とを、点状または線状に接着または縫製したことを特徴とする。
【００１２】
【実施の形態】
以下、この発明に係わる電気掃除機の実施の形態を図面に基づいて説明する。
［第１実施形態］
図１および図２において、２０は電気掃除機本体であり、この本体２０内には集塵室２１が設けられている。また、本体２０内には、集塵室２１の後ろに電動室（収納室）２２とコードリール室２４とが並設され、電動室２２の後ろに排気室２３が設けられている。本体２０の後部壁２０Ａには、排気室２３と外気とを連通する複数の排気口２５が形成され、排気口２５の内面側には排気フィルタ２６が取り付けられている。そして、集塵室２１と電動室２２と排気室２３とが本体２０のホース接続口(図示せず)から排気口２５までを連通した風路を形成している。後部壁２０Ａの下側には上下方向に延びた孔１１を形成した支持壁１２が設けられている。
【００１３】
集塵室２１と電動室２２とは隔壁２８によって区画され、電動室２２とコードリール室２４とが隔壁２９によって区画され、電動室２２と排気室２３とが電動室カバー３０によって区画されている。電動室カバー３０は隔壁２９等に取り付けられている。
【００１４】
集塵室２１には図示しない集塵フィルタが設けられており、電動室２２には電動送風機４０が設置され、コードリール室２４にはコードリール３２が設置されている。
【００１５】
電動送風機４０は、図示しない遠心ファンと、この遠心ファンを回転させる電動モータ(図示せず)とを備え、遠心ファンは筒状のファンケース４１に収納され、電動モータは筒状のモータケース４２に収納されている。モータケース４２には複数の排気口４３が形成され、モータケース４２の後面には電動モータの軸受を覆う軸受部４４が突出している。４５はカーボンブラシである。
【００１６】
軸受部４４は図３に示すようにゴム製の支持部材１５によって支持されている。支持部材１５は、軸受部４４を嵌入させた孔１６を有する保持板部１７と、この保持板部１７の裏面に一体形成された支持板部１８とから構成されている。支持板部１８は支持壁１２の孔１１に圧入されて支持壁１２に支持されている。
【００１７】
ファンケース４１には振動吸収用のゴムカバー４６が取り付けられており、また、モータケース４２はウレタンからなる整流用のカバーＫによって覆われており、このカバーＫは大きな通気性を有している。
【００１８】
電動室カバー３０は、電動室２２とこの上に形成した制御室４７とを区画する平坦状のカバー壁部３１と、このカバー壁部３１の後部から垂下した垂下壁部３２とを有している。垂下壁部３２の下部の中央部には凹部３３が形成され、この凹部３３により垂下壁部３２が支持壁１２に支持された支持板部１７を跨った状態となっている。
【００１９】
垂下壁部３２の下部３２ａ（図６参照）と本体２０の底壁部２０Ｔとの間には所定距離離間した間隙Ｄが形成され、この間隙Ｄによって電動室２２と排気室２３とが連通している。そして、電動室２２および排気室２３には吸音材５０が配置されている。
【００２０】
吸音材５０は、図４および図５に示すように、フェルト（繊維を切り刻み一定の厚みに仕上げたもの）からなる第１吸音部材５１の表面に、若干の通気性を有する薄膜状の不織布（紙類や繊維類からなるもの）からなるシート（第２吸音部材）５３を点状に接着させ、そのシート５３に複数の小孔５２を開けたものである。第１吸音部材５１はほとんど通気性を有しておらず、シート５３は若干の通気性を有しているが第１吸音部材５１に比べるとはるかに大きな通気性を有していることになる。５３ａは点状の接着面を示す。
【００２１】
この吸音材５０は、電動室２２および排気室２３の底部２２Ａ,２３Ｂに敷き詰められたベース部５５と、このベース部５５の後部（図４において右側）から湾曲しながら上方へ延びて本体２０の後部壁２０Ａの湾曲部２０bに当接した湾曲部５６と、ベース部５５の一側部から上方へ延びた側壁部５７と、その他側部から上方へ延びて本体２０の側壁２０Ｂおよび車軸受部２０Ｃに当接した側壁部５８,５９とが一体に形成されている。湾曲部５６には、本体２０の支持壁１２が入り込んだ切欠５６Ａが形成されている。また、ベース部５５には図示しない孔が形成され、この孔にネジボスＮＢが貫通している。
【００２２】
次に、上記のように構成される電気掃除機の作用について説明する。
【００２３】
電動送風機４０が駆動されると、図示しない遠心ファンが電動モータによって回転される。この遠心ファンの回転によって集塵室２１が負圧にされるとともに空気がモータケース４２内へ送り込まれていく。この空気によって電動モータが冷却されていく。モータケース４２内へ送り込まれた空気は、図６に示すように、モータケース４２の複数の排気口４３から電動室２２へ排気され、この排気された空気は電動室カバー３０の垂下壁部３２があることにより電動室２２の底部に向かって流れていき、吸音材５０のベース部５５に当たる。そして、この空気はベース部５５に沿って排気室２３へ流れていく。
【００２４】
排気室２３へ流れた空気は、吸音材５０の湾曲部５６に当たり、ここで向きが変えられるともに湾曲部５６に沿って上方へ流れていき、排気フィルタ２６および後部壁２０Ａの排気口２５を介して外部へ排気されていく。
【００２５】
このように、モータケース４２の排気口４３から排気された空気は、吸音材５０のベース部５５に当たるとともに、このベース部５５に沿って流れていき、さらに、吸音材５０の湾曲部５６に当たってこの湾曲部５６に沿って流れていくので、電動送風機４０が発生する騒音や排気音が効率よく吸音材５０に吸音されていくことになる。
【００２６】
ところで、吸音材５０は、フェルトからなる第１吸音部材５１の表面に、小孔５２を複数設けたシート５３を接着させたものであるが、その吸音効果は図７(イ)の破線のグラフ(Ａ)で示すように大きいことが分かった。これは、若干の通気性を有するシート５３を通った空気が第１吸音部材５１で反射し、この反射した空気とシート５３を通る空気とが衝突して音を打ち消すためである。
【００２７】
グラフ(Ａ)はフェルトの厚さが５mmの場合の吸音材５０の吸音率であり、グラフ(Ｂ)は厚さ１０mmのフェルト（第１吸音部材）のみで構成した場合の吸音率、グラフ(Ｃ)は厚さ５mmのフェルト（第１吸音部材）のみで構成した場合の吸音率をそれぞれ示す。また、図７(ロ)には、電気掃除機に本実施形態の吸音材５０を用いたとき(１)、１０mmのフェルトのみを用いたとき(２)、５mmのフェルトのみを用いたとき(３)の騒音の大きさと周波数との関係をグラフに示したものである。これらグラフ(１),(２),(３)からも吸音材５０を用いたもののほうが騒音は小さいことが分かる。
【００２８】
図７に示すグラフから明らかなように、フェルトの厚さを厚くせずに吸音効率を高めることができるので、電動室２２や排気室２３である排気風路の長さや断面積を大きくする必要がなく、しかも、フェルトの厚さが薄いことにより吸音材５０の目付は軽いものとなる。
【００２９】
したがって、本体２０を大きくせずに、しかもその重量を軽くすることができて騒音の抑制を十分に図ることができる。また、フェルトの厚さが薄いことにより、電動送風機４０の仕事率を低下させずに済むことになる。
【００３０】
この実施形態の吸音材５０は、フェルトにシート５３を点状に接着させたものであるから、作製が簡単であり安価である。しかも、吸音材５０はほぼ一体品となっているのでその取り扱いが簡単であり、その配置が容易となり、安定した騒音抑制効果を得ることができる。
【００３１】
上記実施形態では、吸音材５０を電動室２２および排気室２３に配置しているが、本体２０のホース接続口から排気口２５までの間の風路中であればよく、例えば集塵室２１に配置してもよい。また、第１吸音部材５１の表面全体に亘ってシート５３を張り付けているが、その表面の一部にシート５３を張り付けてもよい。また、シート５３を第１吸音部材５１に接着させているが、ホチキスで止めてもよい。
［第２実施形態］
図８および図９は、第２実施形態を示したものであり、この第２実施形態では多数の小孔６０を設けた織布からなるシート６１をフェルト５１の表面に点状に接着させたものであり、上記と同様な効果を得ることができる。６１ａは点状の接着面を示す。
［第３実施形態］
図１０および図１１は、第３実施形態を示したものであり、この第３実施形態では多数の小孔６２を設けた不織布からなるシート６３をフェルト５１の表面に点状に縫製したものであり、上記と同様な効果を得ることができる。６３ａは点状の縫製点を示す。
【００３２】
図１２および図１３は、他の例を示したものであり、この例ではシート６３をフェルト５１の表面に線状に縫製したものである。６３ｂは縫製箇所を示したものである。
［第４実施形態］
図１４および図１５は、第４実施形態を示したものであり、この第４実施形態では多数の小孔６４を設けた織布からなるシート６５をフェルト５１の表面に線上に接着させたものであり、上記と同様な効果を得ることができる。６５ａは接着箇所を示したものである。
【００３３】
図１６および図１７は、他の例を示したものであり、この例ではシート６５をフェルト５１の表面に線状に縫製したものである。
【００３４】
【発明の効果】
以上説明したように、請求項１の発明によれば、第１吸音材の厚さを厚くせずに吸音効率を高めることができ、このため、排気風路の長さや断面積を大きくする必要がなく、しかも、第１吸音材の厚さが薄いことにより吸音材の重さは軽いものとなる。したがって、本体を大きくせずに、しかもその重量を軽くすることができて騒音の抑制を十分に図ることができる。
また、第１吸音部材は略通気性を有しないように構成されているものであるから、若干の通気性を有する第２吸音部材を通った空気が第１吸音部材で反射し、この反射した空気と第２吸音材を通る空気とが衝突して音が打ち消され、このため、静音効果を上げることができる。
【図面の簡単な説明】
【図１】この発明に係る電気掃除機本体を示した部分断面図である。
【図２】図１の電気掃除機本体の一部を省略しあた平面図である。
【図３】吸音材の組み付け順序を示す説明図である。
【図４】吸音材を示した斜視図である。
【図５】吸音材の一部を拡大した拡大図である。
【図６】電動送付機から排気される空気の流れを示した説明図である。
【図７】    (イ)吸音材の吸音率を示したグラフである。
(ロ)各吸音材における騒音の大きさと周波数との関係を示したグラフである。
【図８】第２実施形態の吸音材を示した斜視図である。
【図９】図８の吸音材の一部を拡大した拡大図である。
【図１０】第３実施形態の吸音材を示した斜視図である。
【図１１】図１０の吸音材の一部を拡大した拡大図である。
【図１２】第３実施形態の他の例を示した斜視図である。
【図１３】図１２の吸音材の一部を拡大した拡大図である。
【図１４】第４実施形態の吸音材を示した斜視図である。
【図１５】図１４の吸音材の一部を拡大した拡大図である。
【図１６】第４実施形態の他の例を示した斜視図である。
【図１７】図１６の吸音材の一部を拡大した拡大図である。
【符号の説明】
２０          電気掃除機本体
２２          電動室
２３          排気室
４０          電動送風機
５０          吸音材
５１          第１吸音材
５３          第２吸音材
【図１】
0003874963.tif 000002
【図２】
0003874963.tif 000003
【図３】
0003874963.tif 000004
【図４】
0003874963.tif 000005
【図５】
0003874963.tif 000006
【図６】
0003874963.tif 000007
【図７】
0003874963.tif 000008
【図８】
0003874963.tif 000009
【図９】
0003874963.tif 000010
【図１０】
0003874963.tif 000011
【図１１】
0003874963.tif 000012
【図１２】
0003874963.tif 000013
【図１３】
0003874963.tif 000014
【図１４】
0003874963.tif 000015
【図１５】
0003874963.tif 000016
【図１６】
0003874963.tif 000017
【図１７】
0003874963.tif 000018